(57)【要約】【課題】吸収性物品について精通していないユーザであっても適切な吸収性物品を得ることを可能とする。【解決手段】吸収性物品提示システムは、吸収性物品の着用者に関する情報であって少なくとも体型に関する情報を含む着用者情報の入力と、前記吸収性物品が使用される際の状況を表す使用状況情報の入力とを受け付ける受付部（３１０）と、前記受付部が入力を受け付けた前記着用者情報及び前記使用状況情報に基づいて、推奨吸収性物品を表す情報を提示する提示部（３２０）とを備える。【選択図】図３
2020004299.tif 000002
【特許請求の範囲】
【請求項１】
吸収性物品の着用者に関する情報であって少なくとも体型に関する情報を含む着用者情報の入力と、前記吸収性物品が使用される際の状況を表す使用状況情報の入力とを受け付ける受付部と、
前記受付部が入力を受け付けた前記着用者情報及び前記使用状況情報に基づいて、推奨吸収性物品を表す情報を提示する提示部と、
を備える吸収性物品提示システム。
【請求項２】
前記提示部は、前記推奨吸収性物品として、前記着用者情報及び前記使用状況情報に基づいてカスタマイズされたカスタマイズ製品を表す情報を提示する、
請求項１に記載の吸収性物品提示システム。
【請求項３】
前記使用状況情報は、前記着用者の生活環境に関する情報を含み、
前記提示部は、前記生活環境に関する情報に基づいて、前記生活環境に適合するように導出された前記推奨吸収性物品を表す情報を提示する、
請求項１又は２に記載の吸収性物品提示システム。
【請求項４】
前記着用者情報は、前記着用者のライフスタイルに関する情報を含み、
前記提示部は、前記ライフスタイルに関する情報に基づいて、前記ライフスタイルに適合するように導出された前記推奨吸収性物品を表す情報を提示する、
請求項１又は２に記載の吸収性物品提示システム。
【請求項５】
前記着用者情報は、前記着用者の健康状態の診断又は監視の希望に関する情報を含み、
前記提示部は、前記健康状態の診断又は監視の希望に関する情報に基づいて、前記健康状態の診断又は監視に適合するように導出された前記推奨吸収性物品を表す情報を提示する、
請求項１又は２に記載の吸収性物品提示システム。
【請求項６】
前記受付部は、環境負荷に関する環境意識情報の入力をさらに受け付け、
前記提示部は、前記受付部が入力を受け付けた前記環境意識情報にさらに基づいて導出された前記推奨吸収性物品を表す情報を提示する、
請求項１乃至５のいずれか１項に記載の吸収性物品提示システム。
【請求項７】
前記体型に関する情報を記憶する記憶部をさらに備え、
前記提示部は、前記記憶部が記憶している前記体型に関する情報と、前記受付部が新たに入力を受け付けた体型に関する情報とに応じて予測される前記着用者の身体的変化に基づいて、前記推奨吸収性物品を表す情報を提示する、
請求項１乃至６のいずれか１項に記載の吸収性物品提示システム。
【請求項８】
吸収性物品の着用者に関する情報であって少なくとも体型に関する情報を含む着用者情報の入力と、前記吸収性物品が使用される際の状況を表す使用状況情報の入力とを受け付ける受付部と、
前記受付部が入力を受け付けた前記着用者情報及び前記使用状況情報に基づいて、推奨吸収性物品を表す情報を提示する提示部と、
を備える情報処理装置。
【請求項９】
吸収性物品の着用者に関する情報であって少なくとも体型に関する情報を含む着用者情報の入力と、前記吸収性物品が使用される際の状況を表す使用状況情報の入力とを受け付ける受付ステップと、
前記受付ステップで入力を受け付けた前記着用者情報及び前記使用状況情報に基づいて、推奨吸収性物品を表す情報を提示する提示ステップと、
を備える吸収性物品提示方法。
【請求項１０】
情報処理装置に、
吸収性物品の着用者に関する情報であって少なくとも体型に関する情報を含む着用者情報の入力と、前記吸収性物品が使用される際の状況を表す使用状況情報の入力とを受け付ける受付ステップと、
前記受付ステップで入力を受け付けた前記着用者情報及び前記使用状況情報に基づいて、推奨吸収性物品を表す情報を提示する提示ステップと、
を実行させる吸収性物品提示プログラム。
【発明の詳細な説明】
【技術分野】
【０００１】
本発明は、吸収性物品提示システム、情報処理装置、吸収性物品提示方法、及び吸収性物品提示プログラムに関する。
【背景技術】
【０００２】
従来、使い捨ておむつや生理用ナプキン等の吸収性物品は、その着用者の体型（身長や体重等）を大まかに分類することにより、かかる分類ごとに製品が提供されている。しかし、着用者の体型は千差万別であるため、かかる既製品は、着用者にとって必ずしも適したものではない。
【０００３】
一方で、特許文献１には、カスタマイズされた吸収性物品を製造するシステムが記載されている。特許文献１に記載のシステムは、吸収性物品に関する選択肢のセットをユーザに提供し、選択肢のセットの中からのユーザの選択を受け付けることにより、カスタマイズされた吸収性物品を製造及び配布する。ここで選択肢のセットには、吸収性物品の各構成部材の素材の選択肢や、吸収性物品の各構成部材のデザイン（構造）の選択肢が含まれる。
【先行技術文献】
【特許文献】
【０００４】
【特許文献１】国際公開第２０１６／１９１４３８号
【発明の開示】
【発明が解決しようとする課題】
【０００５】
しかしながら、特許文献１に記載のシステムは、吸収性物品の各構成部材の詳細をユーザが選択するものであるため、吸収性物品について精通したユーザでなければ、各構成部材について適切な選択を行うことができないという問題がある。
【０００６】
また、着用者がどのような状況下で吸収性物品を使用するかに応じて、適切な吸収性物品は異なると考えられるが、特許文献１に記載のシステムは、吸収性物品が使用される際の着用者の状況を考慮していない。
【０００７】
そこで、本発明は、吸収性物品について精通していないユーザであっても適切な吸収性物品を得ることを可能とする吸収性物品提示システム、情報処理装置、吸収性物品提示方法、及び吸収性物品提示プログラムを提供することを目的とする。
【課題を解決するための手段】
【０００８】
第１の特徴に係る吸収性物品提示システムは、吸収性物品の着用者に関する情報であって少なくとも体型に関する情報を含む着用者情報の入力と、前記吸収性物品が使用される際の状況を表す使用状況情報の入力とを受け付ける受付部と、前記受付部が入力を受け付けた前記着用者情報及び前記使用状況情報に基づいて、推奨吸収性物品を表す情報を提示する提示部とを備える。
【０００９】
第２の特徴に係る情報処理装置は、吸収性物品の着用者に関する情報であって少なくとも体型に関する情報を含む着用者情報の入力と、前記吸収性物品が使用される際の状況を表す使用状況情報の入力とを受け付ける受付部と、前記受付部が入力を受け付けた前記着用者情報及び前記使用状況情報に基づいて、推奨吸収性物品を表す情報を提示する提示部とを備える。
【００１０】
第３の特徴に係る吸収性物品提示方法は、吸収性物品の着用者に関する情報であって少なくとも体型に関する情報を含む着用者情報の入力と、前記吸収性物品が使用される際の状況を表す使用状況情報の入力とを受け付ける受付ステップと、前記受付ステップで入力を受け付けた前記着用者情報及び前記使用状況情報に基づいて、推奨吸収性物品を表す情報を提示する提示ステップとを備える。
【００１１】
第４の特徴に係る吸収性物品提示方法は、情報処理装置に、吸収性物品の着用者に関する情報であって少なくとも体型に関する情報を含む着用者情報の入力と、前記吸収性物品が使用される際の状況を表す使用状況情報の入力とを受け付ける受付ステップと、前記受付ステップで入力を受け付けた前記着用者情報及び前記使用状況情報に基づいて、推奨吸収性物品を表す情報を提示する提示ステップとを実行させる。
【発明の効果】
【００１２】
本発明によれば、吸収性物品について精通していないユーザであっても適切な吸収性物品を得ることを可能とする吸収性物品提示システム、情報処理装置、吸収性物品提示方法、及び吸収性物品提示プログラムを提供できる。
【図面の簡単な説明】
【００１３】
【図１】実施形態に係る吸収性物品提示システムの構成を示す図である。
【図２】実施形態に係る各情報処理装置のハードウェア構成の一例を示す図である。
【図３】実施形態に係る吸収性物品提示システムの機能ブロック構成を示す図である。
【図４】実施形態に係るユーザ情報記憶部が記憶する情報の一例を示す図である。
【図５】実施形態に係る既製品情報記憶部が記憶する既製品情報の一例を示す図である。
【図６】実施形態に係る吸収性物品提示システムにおける推奨吸収性物品の提示動作例を示す図である。
【図７】図６のステップＳ１４における処理の具体例を示す図である。
【図８】実施形態に係る吸収性物品提示システムにおける推奨吸収性物品の注文動作例を示す図である。
【図９】実施形態に係る吸収性物品提示システムにおける端末装置の表示画面の一例を示す図である。
【図１０】実施形態に係る吸収性物品提示システムにおける端末装置の表示画面の一例を示す図である。
【図１１】実施形態に係る吸収性物品提示システムにおける端末装置の表示画面の一例を示す図である。
【図１２】実施形態に係る吸収性物品提示システムにおける端末装置の表示画面の一例を示す図である。
【図１３】実施形態に係る吸収性物品提示システムにおける端末装置の表示画面の一例を示す図である。
【図１４】実施形態に係る吸収性物品提示システムにおける端末装置の表示画面の一例を示す図である。
【発明を実施するための形態】
【００１４】
一実施形態に係る吸収性物品提示システムについて図面を参照しながら説明する。以下の図面の記載において、同一又は類似の部分には、同一又は類似の符号を付している。
【００１５】
（１．実施形態の概要）
本実施形態に係る吸収性物品提示システムは、吸収性物品の着用者に関する情報であって少なくとも体型に関する情報を含む着用者情報の入力と、前記吸収性物品が使用される際の状況を表す使用状況情報の入力とを受け付ける受付部と、前記受付部が入力を受け付けた前記着用者情報及び前記使用状況情報に基づいて、推奨吸収性物品を表す情報を提示する提示部とを備える。
【００１６】
かかる吸収性物品提示システムによれば、入力された着用者情報及び使用状況情報に基づいて推奨吸収性物品を表す情報を提示することにより、吸収性物品の各構成部材の詳細をユーザが選択しなくても、着用者情報及び使用状況情報に応じた適切な推奨吸収性物品をユーザが把握できる。これにより、吸収性物品について精通していないユーザであっても、着用者情報及び使用状況情報に応じた適切な吸収性物品を得ることを可能とすることができる。
【００１７】
（２．吸収性物品提示システムの全体構成）
本実施形態に係る吸収性物品提示システムの構成について説明する。本システムは、吸収性物品に関する情報をユーザに提示するシステムである。本実施形態において、吸収性物品が乳幼児用又は大人用の使い捨ておむつである場合について主として説明する。かかる使い捨ておむつは、パンツ型のおむつであってもよいし、テープ型のおむつであってもよい。
【００１８】
図１は、本実施形態に係る吸収性物品提示システムの構成を示す図である。図１に示すように、本システムは、サーバ装置１００と、記憶装置２００と、複数の端末装置３００と、製造ライン制御装置４００と、配送管理装置５００とを備える。端末装置３００、サーバ装置１００、製造ライン制御装置４００、及び配送管理装置５００は、通信ネットワーク１０に接続されており、通信ネットワーク１０を介して相互に通信を行う。
【００１９】
サーバ装置１００は、着用者に適した吸収性物品を推奨吸収性物品としてユーザに提示するサービスを提供する情報処理装置である。なお、サーバ装置１００は、物理的に分離した複数のサーバにより構成されていてもよい。
【００２０】
推奨吸収性物品は、着用者に推奨される吸収性物品であってもよいし、ユーザに推奨される吸収性物品であってもよい。ここで、「ユーザ」とは、本システムを利用する人物をいい、吸収性物品を着用する着用者（以下、単に「着用者」という）とは異なりうる。例えば、吸収性物品が乳幼児用の使い捨ておむつである場合、着用者が乳幼児であり、本システムのユーザが当該乳幼児の親であることが想定される。また、例えば、吸収性物品が介護用の使い捨ておむつである場合、着用者が被介護者であり、本システムのユーザが介護者であることが想定される。また、例えば、吸収性物品が生理用ナプキンである場合、着用者が生理用ナプキンの使用者であり、本システムのユーザが生理用ナプキンの使用者の保護者あるいは着用者自身であることが想定される。すなわち、着用者とユーザが同一であってもよい。
【００２１】
サーバ装置１００は、端末装置３００との通信を行うことにより、端末装置３００がユーザから入力を受け付けた情報を取得し、取得した情報から１以上の推奨吸収性物品を判断する。サーバ装置１００は、端末装置３００が入力を受け付けた情報に基づいてカスタマイズされたカスタマイズ製品を推奨吸収性物品として判断する。なお、カスタマイズとは、オーダーメイドを含む概念である。サーバ装置１００は、端末装置３００が入力を受け付けた情報に基づいて選択された既製品を推奨吸収性物品として判断してもよい。
【００２２】
サーバ装置１００は、判断した推奨吸収性物品を表す情報を当該端末装置３００に提供する。「推奨吸収性物品を表す情報」とは、吸収性物品を表すテキスト、画像、若しくは音声、又はこれらの組み合わせをいう。
【００２３】
記憶装置２００は、サーバ装置１００における情報処理に用いられる情報を記憶する装置である。具体的には、記憶装置２００は、サーバ装置１００が推奨吸収性物品を判断するための各種の情報を記憶する。なお、図１において、記憶装置２００がサーバ装置１００に直接的に接続される構成を例示しているが、記憶装置２００が通信ネットワーク１０に接続され、サーバ装置１００及び記憶装置２００が通信ネットワーク１０を介して通信を行う構成であってもよい。
【００２４】
端末装置３００は、ユーザインターフェイスを提供する情報処理装置である。端末装置３００は、ユーザから情報の入力を受け付け、当該情報に基づいて推奨吸収性物品を表す情報をユーザに提示する。「情報を提示する」とは、基本的には情報（テキストや画像、動画）を表示することをいうが、音声情報を出力することであってもよい。また、音声情報の出力と情報を表示することの組み合わせであってもよい。
【００２５】
具体的には、端末装置３００は、ユーザから情報の入力を受け付け、入力を受け付けた情報をサーバ装置１００に送信する。「情報の入力を受け付ける」とは、操作情報の入力（操作入力）を受け付けることに限らず、音声情報の入力（音声入力）を受け付けることであってもよいし、画像情報の入力（画像入力）を受け付けることであってもよい。
【００２６】
そして、端末装置３００は、推奨吸収性物品を表す情報をサーバ装置１００から受信し、受信した情報をユーザに提示する。つまり、端末装置３００は、ユーザから入力を受け付けた情報に基づいて、推奨吸収性物品を表す情報を提示する。
【００２７】
端末装置３００には、推奨吸収性物品の提示に関する専用のアプリケーションプログラムがインストールされていてもよい。かかる場合、端末装置３００は、当該アプリケーションプログラムを起動することによりサーバ装置１００との通信を開始する。或いは、本システムがクラウド型サービス（Ｗｅｂサービス）として実現される場合、端末装置３００には専用のアプリケーションプログラムがインストールされずに、端末装置３００にインストール済みの汎用的なブラウザを用いてサーバ装置１００との通信を開始してもよい。
【００２８】
なお、端末装置３００は、例えば、モバイル端末（例えば、タブレット、スマートフォン、ラップトップ、フィーチャーフォン、ポータブルゲーム機、電子書籍リーダなど）である。或いは、端末装置３００は、テレビ受像機（インターネットテレビを含む）、ＰＣ（Ｐｅｒｓｏｎａｌ  Ｃｏｍｐｕｔｅｒ）、ＶＲ（Ｖｉｒｔｕａｌ  Ｒｅａｌｉｔｙ）端末、ＡＲ（Ａｕｇｍｅｎｔｅｄ  Ｒｅａｌｉｔｙ）端末、スマートウォッチ、ＡＩスピーカ等であってもよい。
【００２９】
推奨吸収性物品を表す情報を提示した後、端末装置３００は、推奨吸収性物品を注文する操作をユーザから受け付けてもよい。かかる場合、端末装置３００は、注文操作の内容を表す情報をサーバ装置１００に送信する。サーバ装置１００は、かかる情報の受信に応じて、製造ライン制御装置４００や配送管理装置５００に対して、注文された推奨吸収性物品の製品情報を送信する。
【００３０】
例えば、注文操作がカスタマイズ製品の注文の操作である場合、サーバ装置１００は、注文されたカスタマイズ製品の詳細を製造ライン制御装置４００に送信する。製造ライン制御装置４００は、吸収性物品の製造ラインを制御する情報処理装置である。製造ライン制御装置４００は、サーバ装置１００から受信した情報に基づいて、注文されたカスタマイズ製品を自動的に製造するように製造ラインを制御する。但し、製造ライン制御装置４００は、オペレータの操作内容も考慮して、半自動的にカスタマイズ製品を製造するように製造ラインを制御してもよい。製造ライン制御装置４００は、カスタマイズ製品の製造完了時に、当該カスタマイズ製品の配送を配送管理装置５００に依頼してもよい。
【００３１】
配送管理装置５００は、注文された吸収性物品の配送を管理する情報処理装置である。注文操作が既製品の注文の操作である場合、サーバ装置１００は、注文された既製品を表す情報を配送管理装置５００に送信する。かかる場合、配送管理装置５００は、既製品を表す情報をサーバ装置１００から受信したことに応じて、当該既製品をユーザに配送するための処理を自動的に行う。配送管理装置５００は、カスタマイズ製品の配送を製造ライン制御装置４００から依頼された場合に、当該カスタマイズ製品をユーザに配送するための処理を自動的に行ってもよい。但し、配送管理装置５００は、オペレータの操作内容も考慮して、注文された吸収性物品の配送を半自動的に行ってもよい。
【００３２】
（３．各情報処理装置のハードウェア構成の一例）
本実施形態に係る吸収性物品提示システムに含まれる各情報処理装置（サーバ装置１００、端末装置３００、製造ライン制御装置４００、及び配送管理装置５００）のハードウェア構成の一例について説明する。図２は、本システムに含まれる各情報処理装置のハードウェア構成の一例を示す図である。
【００３３】
図２に示すように、各情報処理装置は、ＣＰＵ２１と、ＲＡＭ２２と、ＲＯＭ２３と、補助記憶装置２４と、通信モジュール２５と、入力装置２６と、出力装置２７とを備える。
【００３４】
ＣＰＵ２１は、主記憶装置を構成するＲＡＭ２２及びＲＯＭ２３からソフトウェア（プログラム）を読み出して実行する。ＲＡＭ２２は、ＣＰＵ２１の作業領域として用いられる。補助記憶装置２４は、ハードディスクやフラッシュメモリ等により構成される。通信モジュール２５は有線通信又は無線通信により情報を送受信するモジュールである。入力装置２６は、タッチパネル、キーボード、マウス、タッチパッド、ポインティングデバイス、マイク、撮像装置、及びセンサの少なくとも１つにより構成され、各種の情報（操作情報、音声情報、画像情報等）の入力を受け付ける。入力装置２６は、ＧＰＳ受信機を含んでもよい。出力装置２７は、ディスプレイやスピーカ等により構成され、各種の情報（テキスト情報、画像情報、音声情報等）を出力する。
【００３５】
ＣＰＵ２１及びＲＡＭ２２等のハードウェア上にソフトウェアを読み込ませることにより、ＣＰＵ２１の制御のもとで通信モジュール２５、入力装置２６、出力装置２７を動作させるとともに、ＲＡＭ２２や補助記憶装置２４におけるデータの読み出し及び書き込みを行うことで、各情報処理装置における一連の機能が実現される。
【００３６】
（４．吸収性物品提示システムの機能ブロック構成）
本実施形態に係る吸収性物品提示システムの機能ブロック構成について説明する。図３は、本システムの機能ブロック構成を示す図である。
【００３７】
（４．１．記憶装置の機能ブロック構成）
図３に示すように、記憶装置２００は、ユーザ情報記憶部２１０と、着用者情報判断規則記憶部２２０と、トラブル情報判断規則記憶部２３０と、使用状況情報判断規則記憶部２４０と、環境意識情報判断規則記憶部２５０と、既製品情報記憶部２６０とを備える。なお、本実施形態において、各記憶部を記憶装置２００が備える一例について説明するが、少なくとも１つの記憶部をサーバ装置１００が備える構成であってもよい。
【００３８】
ユーザ情報記憶部２１０は、ユーザから入力された情報をユーザごとに記憶する。図４は、ユーザ情報記憶部２１０が記憶する情報の一例を示す図である。
【００３９】
図４に示すように、ユーザ情報記憶部２１０は、ユーザごとに、サーバ装置１００へのログインに必要なログイン情報と、吸収性物品の着用者に関する着用者情報とを記憶する。ユーザ情報記憶部２１０は、ユーザの住所（居住地）や電話番号をさらに記憶してもよい。
【００４０】
ログイン情報は、ユーザ名（ユーザＩＤ）とパスワードとを含む。
【００４１】
着用者情報は、着用者の基本的な情報である基本情報と、当該着用者の体型に関する体型情報と、当該着用者が前回着用した製品名とを含む。体型情報は、当該着用者の体型を表す各種サイズだけではなく、当該着用者の身体の動きの大きさ（活動度）を含んでもよい。かかる活動度としては、大人の場合にはＡＤＬ（Ａｃｔｉｖｉｔｉｅｓ  ｏｆ  Ｄａｉｌｙ  Ｌｉｖｉｎｇ）を用いることができ、乳幼児の場合には、初めてできるようになったこと（例えば寝返り、つかまり立ち、ハイハイ等）や運動発達指標（例えばデンバー式発達スクリーニング指標、新版Ｋ式発達指標等）を用いることができる。
【００４２】
基本情報は、着用者の名前と、当該着用者の性別と、当該着用者の年齢（月齢）とを含む。或いは、年齢（月齢）に代えて生年月日を記憶し、生年月日から年齢（月齢）を計算してもよい。
【００４３】
体型情報は、当該着用者の胴回りのサイズと、当該着用者の足繰りのサイズと、当該着用者の身長と、当該着用者の体重とを含む。体型情報は、ヒップサイズや股繰りのサイズ、体の各部位の曲率や、各サイズや曲率等に基づく体型の分類（「おなかが出ている」や「お尻が出ている」、A型、Y型といったJIS規格など標準規格で定められた体型区分等）を含んでもよい。なお、図４において、胴回り、足繰り、及び身長におけるサイズ（長さ）の単位がセンチメートル（ｃｍ）であり、体重における重さの単位がキログラム（ｋｇ）である一例を示している。
【００４４】
また、着用者情報には、ほかにも、着用者が利用する時間に関する情報（夜間、昼間、２１：００〜４：００といった時間を示す情報や、睡眠中、食後、生理期間〇日目といった着用者の生活などに基づくタイミング等）、着用者の食事に関する情報（乳幼児であれば、母乳かミルクか、離乳食の有無や離乳食の食材、離乳食の対象年齢等）や、着用者の肌質（アレルギーや乾燥、かぶれやすいといった肌に関する情報）等が含まれてもよい。
【００４５】
着用者が前回着用した吸収性物品の製品名は、基本的には既製品の製品名であるが、着用者が前回着用した吸収性物品がカスタマイズ製品である場合には、当該カスタマイズ製品に付与されたＩＤや当該カスタマイズ製品の詳細を記憶してもよい。
【００４６】
着用者情報判断規則記憶部２２０、トラブル情報判断規則記憶部２３０、使用状況情報判断規則記憶部２４０、及び環境意識情報判断規則記憶部２５０のそれぞれは、推奨吸収性物品を判断するための判断規則を記憶する。判断される推奨吸収性物品は、吸収性物品の本体だけではなく、吸収性物品の包装を含んでもよい。記憶されている判断規則は、本システムのサービス提供者により予め作成されてもよいし、機械学習を用いた学習等により半自動的又は全自動的に作成・更新されてもよい。
【００４７】
着用者情報判断規則記憶部２２０は、着用者に関する着用者情報と、当該着用者向けに最適化された推奨吸収性物品に関する情報とを対応付けた判断規則を記憶する。判断に用いる着用者情報は、着用者の体型に関する体型情報を少なくとも含む。判断に用いる着用者情報は、着用者の基本的な情報である基本情報と、着用者のライフスタイルに関するライフスタイル情報と、着用者の健康状態の診断又は監視の希望に関する医療関連情報とをさらに含んでもよい。
【００４８】
まず、着用者の基本情報に関する推奨吸収性物品の判断規則の一例を表１に示す。表１において吸収性物品が使い捨ておむつである一例を示している。
【００４９】
【表１】
2020004299.tif 000003
【００５０】
このように、おむつに着用者の名前が記入されていることにより、誰のために作られたおむつかが分かり、間違えることがない。おむつに誕生日が記入されていることにより、家族で誕生日をお祝いできるため、家族の絆が強まる。また、上記のような判断規則により製造されたおむつは、例えば着用者の親族等に向けてプレゼントをする際にも利用できるため、ユーザは必ずしも着用者の親族でなくても良い。
【００５１】
また、着用者の性別に応じた吸収スポット構造（例えば、吸収体の位置やサイズ）のおむつを提供することにより、性器の位置に合わせて吸収スポットを最適化できるため、漏れにくいおむつを提供できる。着用者の性別に応じたデザインのおむつを提供することにより、おむつらしくないデザイン性の高いおむつを提供できるため、着用者が違和感なくおむつを装着できる。
【００５２】
さらに、修正月齢に応じておむつの構造（テープ型であるか又はパンツ型であるか）、おむつの型紙、サイズ、ゴム張力を最適化することにより、着用者（乳幼児）の身体にフィットしたおむつを提供できるため、乳幼児の発達に寄り添い、発達を促進できる。
【００５３】
また、着用者の食事に応じておむつの吸収スポットの構造や吸収性を最適化することにより、着用者の便の硬軟に合わせたおむつを提供できるため、おむつの便の漏れを防ぐことができる。
【００５４】
また肌質に応じて、アレルギー物質を含まない材質や保湿剤を含む材質、摩擦の少ない材質といったおむつの材質や構造、ゴム張力を最適化することにより、着用者（乳幼児）の肌の質に合ったおむつを提供できるため、例えば着用者の肌のトラブルを回避できる。
【００５５】
なお、誕生日（月齢）、性別、及び修正月齢は、着用者の体型にも関連する情報であるため、これらの情報を体型情報の一部とみなすこともできる。
【００５６】
次に、着用者の体型情報に関する推奨吸収性物品の判断規則の一例を表２に示す。
【００５７】
【表２】
2020004299.tif 000004
【００５８】
体型、胴回りサイズ、足繰りサイズ、ヒップサイズ、及び股繰りサイズは、おむつの着用部位についての直接的なサイズであり、これらのサイズに応じておむつを最適化することにより、着用者に適切にフィットさせることができる。これにより、締め付けずゴム跡がつかず、且つ隙間なく漏れにくいおむつを提供でき、漏れや肌トラブルの頻度を減少させることができる。また、身長及び体重についてもおむつの最適化に用いることができる。
【００５９】
また、これらの体型情報を、ユーザ情報記憶部２１０に記憶された過去の体型情報と比較することにより、着用者の身体的変化（例えば着用者の成長）を予測し、予測した身体的変化も考慮したおむつの最適化を行ってもよい。
【００６０】
さらに、着用者の活動度に応じておむつを最適化することにより、着用者の脚が動いても適切にフィットさせることができるおむつを提供できる。
【００６１】
次に、着用者のライフスタイル情報に関する推奨吸収性物品の判断規則の一例を表３に示す。
【００６２】
【表３】
2020004299.tif 000005
【００６３】
このように、生活リズムや、昼と夜のおむつ交換サイクル・回数の希望・利用時間に応じて、昼用と夜用とを使い分け、おむつ交換のサイクルに最適なおむつを提供することにより、ケアする側、ケアされる側（着用者）の双方にとってＱｏＬを向上させることができたり、着用者の排泄物の漏れを防いだりすることができる。
【００６４】
また、１日あたりの利用枚数、宅在庫、購入頻度、購入・配送方法の希望に応じて、包装入数を最適化することにより、最適な頻度・最適な量でおむつを提供できる。
【００６５】
また、家族イベントに応じてイベント用やお祝い用おむつを提供することにより、家族で楽しめたり、お祝いしたりすることができるため、家族の絆を強めることができる。
【００６６】
また、お出かけの予定に応じて消臭材入りのおむつを提供することにより、消臭作用により、特に臭いが気になるお出かけ時において臭いが気にならないようにすることができる。さらに、お出かけの予定に応じて個包装で覆われたおむつを提供することにより、外出先に必要な分の量のおむつをそのままバックに入れて、衛生的に持ち運ぶことができる。
【００６７】
次に、着用者の医療関連情報に関する推奨吸収性物品の判断規則の一例を表４に示す。
【００６８】
【表４】
2020004299.tif 000006
【００６９】
このように、健康診断の希望に応じて採尿パック付きおむつや便採取用おむつを提供することにより、衛生的で簡単に採尿や採便を行うことができる。なお、排泄物を検査する検査キットや試験紙などをセットにしてもよい。
【００７０】
また、病歴に応じて尿検査シート付おむつを提供することにより、おむつで日常的に尿路感染や脱水症状が分かるようになり、病気の早期発見ができる。
【００７１】
また、膀胱機能評価の希望の有無に応じて、尿量、排尿・排便検知センサ付きおむつ、又はセンサの取り付けに適した構造のおむつを提供することにより、尿量と排尿・排便のタイミングが分かるようになり、適切なおむつを評価できる。
【００７２】
また、見守り希望の有無に応じて、脈拍数、呼吸、姿勢、体温等を検出するセンサ付きオムツ、又はそれらセンサの取り付けに適した構造のおむつを提供することにより、バイタル情報が分かるようになり、おむつ着用者の体調把握や安全を確保できる。
【００７３】
トラブル情報判断規則記憶部２３０は、吸収性物品を着用者が着用することにより生じたトラブルに関するトラブル情報と、当該着用者向けに最適化された推奨吸収性物品に関する情報とを対応付けた判断規則を記憶する。
【００７４】
トラブル情報に関する推奨吸収性物品の判断規則の一例を表５に示す。
【００７５】
【表５】
2020004299.tif 000007
【００７６】
このように、漏れトラブルの場所（腹側、背側、足繰り）、頻度、時間帯、尿、便の状態に応じて、構造、型紙・サイズ、ゴム張力が最適化されたおむつを提供することにより、より体にフィットしてずれにくいおむつ、すなわち、漏れにくいおむつを提供できる。
【００７７】
また、漏れトラブルの場所（腹側、背側、足繰り）、頻度、時間帯、尿、便の状態に応じて、吸収体の長さ・吸収量が調整されたおむつを提供することにより、尿量に対して十分な吸収力があり、漏れにくいおむつを提供できる。
【００７８】
また、漏れトラブルの場所（腹側、背側、足繰り）、頻度、時間帯、尿、便の状態に応じて、便収容ポケット付きおむつを提供することにより、便を収容し、便を広げないようにすることができ、漏れにくいおむつを提供できる。
【００７９】
また、肌トラブル（かぶれ、褥瘡）の有無、敏感肌など肌質が弱いことに応じて、トップシート、バックシート素材を変更することにより、肌を傷つけにくいおむつを提供できるため、肌トラブルを減少させることができる。
【００８０】
また、肌トラブル（かぶれ、褥瘡）の有無、肌の状態でゴム跡など気になる事に応じて、エラスティック素材をストランドから伸縮不織布に変更することにより、肌を傷つけにくいおむつを提供できるため、肌トラブルを減少させることができる。
【００８１】
また、肌トラブル（かぶれ、褥瘡）の有無、蒸れが気になることに応じて、バックフィルムの通気度が高いおむつを提供したり、アウター厚み・吸収体厚みが薄いおむつを提供したりすることにより、蒸れにくいおむつを提供できるため、肌トラブルを減少させることができる。
【００８２】
使用状況情報判断規則記憶部２４０は、吸収性物品が使用される際の状況を表す使用状況情報と、当該使用状況向けに最適化された推奨吸収性物品に関する情報とを対応付けた判断規則を記憶する。使用状況情報は、着用者の生活環境に関する生活環境情報を含む。
【００８３】
生活環境情報に関する推奨吸収性物品の判断規則の一例を表６に示す。
【００８４】
【表６】
2020004299.tif 000008
【００８５】
このように、居住地情報やＧＰＳ等から把握される気温や湿度の状況に応じて、バックフィルムの通気度が高いおむつを提供したり、アウター厚み・吸収体厚みが薄いおむつを提供したりすることにより、蒸れにくいおむつを提供でき、肌トラブルを減少させることができる。
【００８６】
また、居住している部屋の気温や湿度の状況に応じて、バックフィルムの通気度が高いおむつを提供したり、アウター厚み・吸収体厚みが薄いおむつを提供したりすることにより、蒸れにくいおむつを提供でき、肌トラブルを減少させることができる。
【００８７】
また、季節に応じて、肌を保護するオイルや保湿剤が塗布されたおむつを提供することにより、オイルや保湿剤でケアすることができ、肌トラブルを減少させることができる。また、季節に応じて上述の通気度や厚みを変更させてもよい。
【００８８】
環境意識情報判断規則記憶部２５０は、環境負荷に関する環境意識情報と、当該環境意識に合わせて最適化された推奨吸収性物品に関する情報とを対応付けた判断規則を記憶する。
【００８９】
環境意識情報に関する推奨吸収性物品の判断規則の一例を表７に示す。
【００９０】
【表７】
2020004299.tif 000009
【００９１】
このように、環境への意識の有無に応じて、後処理テープやインジケータが無いおむつを提供したり、アウター及びインナーの組み合わせセットを提供したり、おむつリサイクルに適した材料・構造のおむつを提供したり、おむつ重量を可能な限り減らした構造のおむつを提供したりすることにより、ゴミを削減するとともにＣＯ２排出量を削減できる。また、化成の材質ではなく、天然（自然）の製品を使用したいといった希望がある場合、おむつの繊維材質を希望に合わせて変更してもよい（例えばコットンの割合が高いおむつ等）。
【００９２】
既製品情報記憶部２６０は、既製品に関する既製品情報を記憶する。図５は、既製品情報記憶部２６０が記憶する既製品情報の一例を示す図である。図５に示すように、既製品情報記憶部２６０は、既製品ごとに、製品名と、対象着用者と、胴回りのサイズと、足繰りのサイズと、長さと、パッドの素材と、装着方法（テープ型又はパンツ型）とを記憶する。既製品情報記憶部２６０は、既製品ごとに、吸収性物品（おむつ）のより詳細な情報、例えば各構成部材の有無、長さ、厚さ、大きさ、素材、位置等をさらに記憶してもよい。
【００９３】
（４．２．サーバ装置の機能ブロック構成）
図３に示すように、サーバ装置１００は、ユーザ情報登録部１１０と、吸収性物品判断部１２０と、既製品判断部１３０とを備える。
【００９４】
ユーザ情報登録部１１０は、端末装置３００が入力を受け付けたユーザ情報（図４参照）をユーザ情報記憶部２１０に記憶させることにより、ユーザ情報を登録する。ユーザ情報登録部１１０は、同一ユーザについて新たにユーザ情報が入力された場合には、ユーザ情報記憶部２１０に記憶されたユーザ情報を更新してもよい。
【００９５】
吸収性物品判断部１２０は、ユーザ情報記憶部２１０に記憶されたユーザ情報と、端末装置３００が入力を受け付けた情報とに基づいて、推奨吸収性物品について判断する。例えば、吸収性物品判断部１２０は、ユーザ情報記憶部２１０に記憶されたユーザ情報と、端末装置３００が入力を受け付けた情報とに基づいて、最適化された吸収性物品の各構成部材の設計パラメータ（例えば、各構成部材の有無、長さ、厚さ、大きさ、素材、位置、形状等）を判断し、判断した設計パラメータを既製品判断部１３０に提供する。
【００９６】
吸収性物品判断部１２０は、着用者情報判断部１２１と、トラブル情報判断部１２２と、使用状況情報判断部１２３と、環境意識情報判断部１２４とを備える。
【００９７】
着用者情報判断部１２１は、端末装置３００が着用者情報の入力を受け付けた場合に、ユーザ情報記憶部２１０に記憶されたユーザ情報と、端末装置３００が入力を受け付けた着用者情報と、着用者情報判断規則記憶部２２０が記憶している判断規則（表１乃至表４参照）とに基づいて、推奨吸収性物品について判断する。具体的には、着用者情報判断部１２１は、これらの情報に基づいて、最適化された吸収性物品の各構成部材の設計パラメータを判断する。
【００９８】
着用者情報判断部１２１は、ユーザ情報記憶部２１０に記憶されたユーザ情報と、端末装置３００が入力を受け付けた着用者情報とに基づいて、将来における着用者の身体的変化（例えば、成長の度合い）を予測してもよい。かかる場合、着用者情報判断部１２１は、予測した着用者の身体的変化も考慮して、吸収性物品の各構成部材の設計パラメータを判断する。
【００９９】
トラブル情報判断部１２２は、端末装置３００がトラブル情報の入力を受け付けた場合に、端末装置３００が入力を受け付けたトラブル情報と、トラブル情報判断規則記憶部２３０が記憶している判断規則（表５参照）とに基づいて、推奨吸収性物品について判断する。具体的には、着用者情報判断部１２１は、これらの情報に基づいて、最適化された吸収性物品の各構成部材の設計パラメータを判断する。
【０１００】
使用状況情報判断部１２３は、端末装置３００が使用状況情報（生活環境情報）の入力を受け付けた場合に、端末装置３００が入力を受け付けた使用状況情報と、使用状況情報判断規則記憶部２４０が記憶している判断規則（表６参照）とに基づいて、推奨吸収性物品について判断する。具体的には、使用状況情報判断部１２３は、これらの情報に基づいて、最適化された吸収性物品の各構成部材の設計パラメータを判断する。なお、使用状況情報の入力は、居住地（国や都道府県）の入力に限らず、ＧＰＳ位置情報の入力によりなされてもよい。
【０１０１】
環境意識情報判断部１２４は、端末装置３００が環境意識情報の入力を受け付けた場合に、端末装置３００が入力を受け付けた環境意識情報と、環境意識情報判断規則記憶部２５０が記憶している判断規則（表７参照）とに基づいて、推奨吸収性物品について判断する。具体的には、環境意識情報判断部１２４は、これらの情報に基づいて、最適化された吸収性物品の各構成部材の設計パラメータを判断する。なお、環境意識情報の入力は、例えば、「おむつ廃棄による環境負荷を低減したいですか？」といった質問に対するユーザの回答や、「温暖化が進んでいますが何か行動をされていますか？」といった質問に対するユーザの回答によりなされてもよい。
【０１０２】
既製品判断部１３０は、吸収性物品判断部１２０が判断した設計パラメータと、既製品情報記憶部３３０に記憶された既製品情報とに基づいて、吸収性物品判断部１２０が判断した設計パラメータに適合する既製品が存在するか否かを判断する。ここで、吸収性物品判断部１２０が判断した設計パラメータに適合する既製品とは、吸収性物品判断部１２０が判断した設計パラメータと完全に一致する既製品に限らず、吸収性物品判断部１２０が判断した設計パラメータと一部が一致又は類似する既製品であってもよい。
【０１０３】
既製品判断部１３０は、吸収性物品判断部１２０が判断した設計パラメータに適合する既製品が存在すると判断した場合に、当該既製品に関する情報を、推奨吸収性物品を表す情報として端末装置３００に送信する。かかる場合、既製品判断部１３０は、吸収性物品判断部１２０が判断した設計パラメータに応じたカスタマイズ製品を表す情報及び既製品を表す情報の両方を端末装置３００に送信してもよい。或いは、既製品判断部１３０は、吸収性物品判断部１２０が判断した設計パラメータに適合する既製品が存在すると判断した場合に、カスタマイズ製品を表す情報を端末装置３００に送信しないとしてもよい。
【０１０４】
一方、既製品判断部１３０は、吸収性物品判断部１２０が判断した設計パラメータに適合する既製品が存在しないと判断した場合に、吸収性物品判断部１２０が判断した設計パラメータに応じたカスタマイズ製品を表す情報を生成し、当該カスタマイズ製品を表す情報を、推奨吸収性物品を表す情報として端末装置３００に送信する。
【０１０５】
推奨吸収性物品を表す情報を端末装置３００に送信した後、サーバ装置１００は、当該推奨吸収性物品を注文することを表す情報を端末装置３００から受信しうる。かかる場合、サーバ装置１００は、推奨吸収性物品に関する情報を製造ライン制御装置４００又は配送管理装置５００に送信する。
【０１０６】
（４．３．端末装置の機能ブロック構成）
図３に示すように、端末装置３００は、受付部３１０と、提示部３２０とを備える。
【０１０７】
受付部３１０は、入力装置２６を含んで構成されており、各種の情報の入力を受け付け、受け付けた情報をサーバ装置１００に送信する。受付部３１０が入力を受け付ける情報は、着用者情報と、トラブル情報と、使用状況情報と、環境意識情報とを含む。受付部３１０は、サーバ装置１００への登録時及びログイン時においてログイン情報の入力を受け付ける。受付部３１０は、サーバ装置１００への登録時に着用者情報の入力を受け付けてもよい。
【０１０８】
提示部３２０は、出力装置２７を含んで構成されており、各種の情報を提示する。提示部３２０は、受付部３１０が入力を受け付けた情報に応じて導出された推奨吸収性物品を表す情報をサーバ装置１００から受信し、当該推奨吸収性物品を表す情報を提示する。つまり、提示部３２０は、受付部３１０が入力を受け付けた情報に基づいて、推奨吸収性物品を表す情報を提示する。
【０１０９】
例えば、着用者の体型に関する体型情報の入力を受付部３１０が受け付けた場合、提示部３２０は、受付部３１０が入力を受け付けた体型情報に基づいて、推奨吸収性物品を表す情報を提示する。提示部３２０は、体型情報に適合する既製品が存在することに応じて、当該既製品を表す情報を提示してもよい。提示部３２０は、体型情報に適合する既製品が存在しないことに応じて、着用者の体型に適合するカスタマイズ製品を表す情報を提示してもよい。
【０１１０】
吸収性物品を着用者が着用することにより生じたトラブルに関するトラブル情報の入力を受付部３１０が受け付けた場合、提示部３２０は、受付部３１０が入力を受け付けたトラブル情報に基づいて、推奨吸収性物品を表す情報を提示する。トラブル情報がトラブルとして排泄物の漏れに関する情報を含む場合、提示部３２０は、漏れに関する情報に基づいて、漏れの発生を抑制するように導出された推奨吸収性物品を表す情報を提示する。また、トラブル情報がトラブルとして着用者の肌トラブルに関する情報を含む場合、提示部３２０は、肌トラブルに関する情報に基づいて、肌トラブルの発生を抑制するように導出された推奨吸収性物品を表す情報を提示する。提示部３２０は、トラブルの発生を抑制可能な既製品が存在することに応じて、当該既製品を表す情報を提示してもよい。提示部３２０は、トラブルの発生を抑制可能な既製品が存在しないことに応じて、トラブルの発生を抑制可能なカスタマイズ製品を表す情報を提示してもよい。
【０１１１】
吸収性物品が使用される際の状況を表す使用状況情報（生活環境情報）の入力を受付部３１０が受け付けた場合、提示部３２０は、受付部３１０が入力を受け付けた使用状況情報に基づいて、推奨吸収性物品を表す情報を提示する。例えば、提示部３２０は、使用状況情報（生活環境情報）に基づいて、着用者の生活環境に適合するように導出された推奨吸収性物品を表す情報を提示する。提示部３２０は、吸収性物品が使用される際の状況に適合した既製品が存在することに応じて、当該既製品を表す情報を提示してもよい。提示部３２０は、吸収性物品が使用される際の状況に適合した既製品が存在しないことに応じて、吸収性物品が使用される際の状況に適合したカスタマイズ製品を表す情報を提示してもよい。
【０１１２】
着用者のライフスタイルに関するライフスタイル情報の入力を受付部３１０が受け付けた場合、提示部３２０は、受付部３１０が入力を受け付けたライフスタイル情報に基づいて、推奨吸収性物品を表す情報を提示する。例えば、提示部３２０は、ライフスタイル情報に基づいて、着用者のライフスタイルに適合するように導出された推奨吸収性物品を表す情報を提示する。提示部３２０は、着用者のライフスタイルに適合した既製品が存在することに応じて、当該既製品を表す情報を提示してもよい。提示部３２０は、着用者のライフスタイルに適合した既製品が存在しないことに応じて、吸収性物品が使用される際の状況に適合したカスタマイズ製品を表す情報を提示してもよい。
【０１１３】
着用者の健康状態の診断又は監視の希望に関する医療関連情報の入力を受付部３１０が受け付けた場合、提示部３２０は、医療関連情報に基づいて、健康状態の診断又は監視に適合するように導出された推奨吸収性物品を表す情報を提示する。提示部３２０は、健康状態の診断又は監視に適合した既製品が存在することに応じて、当該既製品を表す情報を提示してもよい。提示部３２０は、健康状態の診断又は監視に適合した既製品が存在しないことに応じて、吸収性物品が使用される際の状況に適合したカスタマイズ製品を表す情報を提示してもよい。
【０１１４】
環境負荷に関する環境意識情報の入力を受付部３１０が受け付けた場合、提示部３２０は、環境意識情報に基づいて導出された推奨吸収性物品を表す情報を提示する。提示部３２０は、環境意識情報に適合した既製品が存在することに応じて、当該既製品を表す情報を提示してもよい。提示部３２０は、環境意識情報に適合した既製品が存在しないことに応じて、吸収性物品が使用される際の状況に適合したカスタマイズ製品を表す情報を提示してもよい。
【０１１５】
推奨吸収性物品を表す情報を提示部３２０が提示した後、受付部３１０は、当該推奨吸収性物品を注文することを表す情報の入力を受け付けてもよい。かかる場合、受付部３１０は、入力を受け付けた注文情報をサーバ装置１００に送信する。
【０１１６】
（５．吸収性物品提示システムの動作例）
本実施形態に係る吸収性物品提示システムの動作の一例について説明する。
【０１１７】
（５．１．推奨吸収性物品の提示動作例）
図６は、本実施形態に係る吸収性物品提示システムにおける推奨吸収性物品の提示動作例を示す図である。
【０１１８】
図６に示すように、ステップＳ１において、端末装置３００は、推奨吸収性物品を提示するためのアプリケーションを起動する。
【０１１９】
ステップＳ２において、端末装置３００は、サーバ装置１００にログインするためのログイン画面を表示する。
【０１２０】
ステップＳ３において、端末装置３００は、ログイン情報（ユーザＩＤ、パスワード）の入力をユーザから受け付ける。
【０１２１】
ステップＳ４において、端末装置３００は、入力を受け付けたログイン情報をサーバ装置１００に送信する。サーバ装置１００は、端末装置３００から受信したログイン情報を記憶装置２００に記憶されたログイン情報と照合し、ユーザを特定する。
【０１２２】
なお、ユーザが本システムを初めて利用する場合、端末装置３００は、ログイン情報の入力と、着用者情報のうち少なくとも基本情報の入力とをユーザから受け付け、入力を受け付けた情報をサーバ装置１００に送信する。サーバ装置１００は、端末装置３００から受信した情報を記憶することにより、ユーザ登録が行われる。
【０１２３】
ステップＳ５において、端末装置３００は、推奨吸収性物品の判断に用いる情報をユーザに入力させるための情報入力画面を表示する。
【０１２４】
ステップＳ６において、端末装置３００は、着用者情報の入力をユーザから受け付ける。ステップＳ７において、端末装置３００は、入力を受け付けた着用者情報をサーバ装置１００に送信する。なお、ここで着用者情報は着用者の画像を入力してもよいし、例えば着用者を測定するセンサの測定データ（衣服型の測定センサを着用者に着用させて得られた体型に関する測定データや、腕や足に取り付けた活動量の測定データ、肌質などを測定するセンサの測定データ等）を入力してもよい。この場合、センサの測定データを端末装置３００が取得し、端末装置３００から着用者情報としてサーバに送信してもよいし、センサから直接サーバ装置１００に対して測定データを送信してもよい。また、端末装置３００の画面に、体型を選択させる画面を表示し、ユーザが選択した体型情報を送信してもよい。ここで、選択可能な体型は規格等から分類される体型であってもよいし、測定データから推定される体型であってもよい。また、選択に際して、単に体型の分類名だけでなく体型の特徴を表す図や文字列（おなかが出ている図や「おなかポッコリ」といった説明文等）を選択するようにしてもよい。
【０１２５】
ステップＳ８において、端末装置３００は、トラブル情報の入力をユーザから受け付ける。ステップＳ９において、端末装置３００は、入力を受け付けたトラブル情報をサーバ装置１００に送信する。
【０１２６】
ステップＳ１０において、端末装置３００は、使用状況情報の入力をユーザから受け付ける。ステップＳ１１において、端末装置３００は、入力を受け付けた使用状況情報をサーバ装置１００に送信する。
【０１２７】
ステップＳ１２において、端末装置３００は、環境意識情報の入力をユーザから受け付ける。ステップＳ１３において、端末装置３００は、入力を受け付けた環境意識情報をサーバ装置１００に送信する。
【０１２８】
ステップＳ６乃至Ｓ１３は、この順で行われなくてもよい。すなわち、推奨吸収性物品の判断に用いる情報をユーザに入力させる順番は、どのような順番であってもよい。また、着用者情報、トラブル情報、使用状況情報、及び環境意識情報の全てをユーザに入力させる場合に限らず、これらの情報のうち一部のみをユーザに入力させてもよい。
【０１２９】
ステップＳ１４において、サーバ装置１００は、端末装置３００から受信した情報と、記憶装置２００に記憶された判断規則とに基づいて、推奨吸収性物品（ここでは、使い捨ておむつ）について判断する。具体的には、サーバ装置１００は、最適化された使い捨ておむつの各構成部材の設計パラメータ（例えば、各構成部材の有無、長さ、厚さ、大きさ、素材、位置、形状等）を判断する。また、サーバ装置１００は、カスタマイズ製品及び既製品の少なくとも一方を推奨吸収性物品として判断する。
【０１３０】
ステップＳ１５において、サーバ装置１００は、推奨吸収性物品についての判断結果を端末装置３００に送信する。具体的には、サーバ装置１００は、カスタマイズ製品を表す情報及び既製品を表す情報の少なくとも一方を端末装置３００に送信する。
【０１３１】
ステップＳ１６において、端末装置３００は、サーバ装置１００から受信した判断結果を表示する。具体的には、端末装置３００は、カスタマイズ製品を表す情報及び既製品を表す情報の少なくとも一方を表示する。
【０１３２】
図７は、図６のステップＳ１４における処理の具体例を示す図である。
【０１３３】
図７に示すように、ステップＳ１４１において、サーバ装置１００は、端末装置３００から受信した情報に基づいて使い捨ておむつのサイズを判断する。
【０１３４】
ステップＳ１４２において、サーバ装置１００は、端末装置３００から受信した情報に基づいて使い捨ておむつの長さを判断する。
【０１３５】
ステップＳ１４３において、サーバ装置１００は、端末装置３００から受信した情報に基づいて使い捨ておむつの胴回りサイズ及び足回りサイズを判断する。なお、胴回りのサイズおよび足回りのサイズだけでなく、体型を判断してもよい。例えば体型に応じておむつの形自体（例えばベルト部分の長さ、股下の深さ、お尻回りの大きさなど）を変更してもよい。また、着用者の情報が画像で入力された場合、その画像から着用者の体型情報を推定する処理を実行してもよい。
【０１３６】
ステップＳ１４４において、サーバ装置１００は、端末装置３００から受信した情報に基づいて使い捨ておむつの吸収体及びその素材を判断する。
【０１３７】
ステップＳ１４１乃至Ｓ１４４は、この順で行われなくてもよい。すなわち、推奨吸収性物品の各構成部材の設計パラメータを判断する順番は、どのような順番であってもよい。また、サーバ装置１００は、ステップＳ１４１乃至Ｓ１４４における判断に加えて、表１乃至表７に示したような判断を行うことにより、推奨吸収性物品（使い捨ておむつ）の各構成部材の設計パラメータを判断してもよい。
【０１３８】
ステップＳ１４５において、サーバ装置１００は、既製品情報を記憶装置２００から取得する。
【０１３９】
ステップＳ１４６において、サーバ装置１００は、取得した既製品情報に基づいて、判断した設計パラメータに適合する既製品が有るか否かを判断する。
【０１４０】
判断した設計パラメータに適合する既製品が有る場合（ステップＳ１４６：ＹＥＳ）、ステップＳ１４７において、サーバ装置１００は、推奨吸収性物品を表す情報として、適合する既製品の情報を取得する。
【０１４１】
一方、判断した設計パラメータに適合する既製品が無い場合（ステップＳ１４６：ＮＯ）、ステップＳ１４８において、サーバ装置１００は、推奨吸収性物品を表す情報として、判断した設計パラメータに応じたカスタマイズ製品を表す情報を生成する。
【０１４２】
（５．２．吸収性物品の注文動作例）
図８は、本実施形態に係る吸収性物品提示システムにおける推奨吸収性物品の注文動作例を示す図である。
【０１４３】
図８に示すように、ステップＳ１６において、端末装置３００は、サーバ装置１００から受信した判断結果を表示する。具体的には、端末装置３００は、カスタマイズ製品を表す情報及び既製品を表す情報の少なくとも一方を表示する。
【０１４４】
ステップＳ１７において、端末装置３００は、カスタマイズ製品又は既製品の注文指示をユーザから受け付ける。
【０１４５】
ステップＳ１８において、端末装置３００は、ユーザから受け付けた注文指示をサーバ装置１００に送信する。
【０１４６】
ステップＳ１９において、サーバ装置１００は、端末装置３００から注文指示を受け付けることにより受注処理を行う。
【０１４７】
ステップＳ２０において、サーバ装置１００は、注文された吸収性物品の製品情報を製造ライン制御装置４００又は配送管理装置５００に送信する。具体的には、サーバ装置１００は、カスタマイズ製品が注文された場合に、当該カスタマイズ製品の詳細（設計パラメータ）を製造ライン制御装置４００に送信する。サーバ装置１００は、既製品が注文された場合に、当該既製品の情報（製品名やＩＤ等）を配送管理装置５００に送信する。
【０１４８】
ステップＳ２１において、サーバ装置１００は、受注完了を表す通知を端末装置３００に送信する。
【０１４９】
ステップＳ２２において、端末装置３００は、サーバ装置１００から受信した通知に基づいて受注完了の旨を表示する。
【０１５０】
（６．表示画面例）
以下において、本実施形態に係る吸収性物品提示システムにおける端末装置３００の表示画面の一例について説明する。図９乃至図１４は、本システムにおける端末装置３００の表示画面の一例を示す図である。
【０１５１】
図９（ａ）に示すように、端末装置３００は、推奨吸収性物品を提示するためのアプリケーションの起動後に画面ＳＣ１１を表示する。画面ＳＣ１１において「始める」ボタンが選択されると、図９（ｂ）に示すログイン画面ＳＣ１２に遷移する。なお、ボタンの選択は、タッチ操作（タップ操作）により行われてもよいし、マウス等によるクリック操作により行われてもよい。
【０１５２】
図９（ｂ）に示すように、ログイン画面ＳＣ１２は、ユーザ名（ユーザＩＤ）を入力するためのテキストボックスと、パスワードを入力するためのテキストボックスと、「ログイン」ボタンとを有する。また、ログイン画面ＳＣ１２は、ユーザ登録を行うための「ユーザ登録」ボタンを有する。ログイン画面ＳＣ１２において「ユーザ登録」ボタンが選択されると、図９（ｃ）に示すユーザ登録画面ＳＣ１３に遷移する。
【０１５３】
図９（ｃ）に示すように、ユーザ登録画面ＳＣ１３は、ユーザ名（ユーザＩＤ）を入力するためのテキストボックスと、パスワードを入力するためのテキストボックスと、着用者の名前を入力するためのテキストボックスと、着用者の年齢を入力するためのテキストボックスと、着用者の性別を入力するためのテキストボックスとを有する。
【０１５４】
ログイン画面ＳＣ１２におけるログイン後又はユーザ登録画面ＳＣ１３におけるユーザ登録後、図１０（ａ）に示すように、端末装置３００は、体型情報の入力方法を選択するための選択画面ＳＣ２１を表示する。選択画面ＳＣ２１において「自分で入力」ボタンを選択されると、図１０（ｂ）に示す体型入力画面ＳＣ２２に遷移する。
【０１５５】
図１０（ｂ）に示すように、体型入力画面ＳＣ２２は、着用者の体重を入力するためのテキストボックスと、着用者の胴回りサイズ（ウェストサイズ）を入力するためのテキストボックスと、着用者のヒップサイズを入力するためのテキストボックスと、着用者の足繰りサイズを入力するためのテキストボックスとを有する。なお、テキストボックスに代えてプルダウンメニューを表示してもよい。
【０１５６】
一方、選択画面ＳＣ２１において「写真をアップロード」ボタンが選択されると、図１０（ｃ）に示す写真アップロード画面ＳＣ２３に遷移する。図１０（ｃ）に示すように、写真アップロード画面ＳＣ２３は、既存の画像ファイルの中から着用者の画像を選択するための「ファイルをアップロード」ボタンと、着用者を被写体として撮影するための「写真を撮影する」ボタンとを有する。「ファイルをアップロード」ボタンが選択されると、端末装置３００内の画像ファイルの一覧を表示し、いずれかの画像ファイルをユーザに選択させる。「写真を撮影する」ボタンが選択されると、写真撮影画面を表示し、着用者をユーザに撮影させる。
【０１５７】
また、図１１（ａ）に示すように、端末装置３００は、着用者が直近に着用したおむつ（今のおむつ）に関する情報をユーザに入力させる入力画面ＳＣ３１を表示する。入力画面ＳＣ３１は、今のおむつの商品名を入力するためのテキストボックスと、今のおむつが浅い、深い、ちょうどいいのいずれであるかを選択するためのプルダウンメニューと、今のおむつについて漏れの有無を選択するためのプルダウンメニューと、今のおむつについて蒸れの有無を選択するためのプルダウンメニューと、今のおむつについて着用者のかぶれの有無を選択するためのプルダウンメニューとを有する。入力画面ＳＣ３１における情報の入力後、「次」ボタンが選択されると、図１１（ｂ）に示すトラブル情報入力画面ＳＣ３２に遷移する。
【０１５８】
図１１（ｂ）に示すように、トラブル情報入力画面ＳＣ３２は、入力画面ＳＣ３１で入力された漏れの有無、蒸れの有無、カブレの有無に応じて、各トラブルの詳細を入力するためのプルダウンメニュー又はテキストボックスを有する。例えば、入力画面ＳＣ３１で漏れ有りと入力された場合、トラブル情報入力画面ＳＣ３２は、漏れた場所及び漏れた排泄物の種類を入力するためのプルダウンメニュー又はテキストボックスを有する。トラブル情報入力画面ＳＣ３２における情報の入力後、「次」ボタンが選択されると、図１１（ｃ）に示す活動度入力画面ＳＣ３３に遷移する。
【０１５９】
図１１（ｃ）に示すように、活動度入力画面ＳＣ３３は、着用者が今できることとして、はいはい、寝返り、つかまり立ちの少なくとも１つを選択するためのボタン又はチェックボックスを有する。活動度入力画面ＳＣ３３における情報の入力後、「次」ボタンが選択されると、図１２（ａ）に示すデザイン選択画面ＳＣ４１に遷移する。
【０１６０】
図１２（ａ）に示すように、デザイン選択画面ＳＣ４１は、使い捨ておむつの外観デザインを選択するための画面であって、既製品のデザインを選択するためのボタンと、デザインをカスタマイズするためのボタンとを有する。デザイン選択画面ＳＣ４１における情報の入力後、「次」ボタンが選択されると、図１２（ｂ）に示す生活環境入力画面ＳＣ４２に遷移する。
【０１６１】
図１２（ｂ）に示すように、生活環境入力画面ＳＣ４２は、着用者の居住国を選択するためのプルダウンメニューと、着用者が居住する都道府県を選択するためのプルダウンメニューとを有する。或いは、生活環境入力画面ＳＣ４２において、ＧＰＳ位置情報を送信するためのボタンを表示してもよい。生活環境入力画面ＳＣ４２における情報の入力後、「次」ボタンが選択されると、図１２（ｃ）に示す入力終了画面ＳＣ４３に遷移する。
【０１６２】
その後、図１３（ａ）に示すように、端末装置３００は、カスタマイズ製品表示画面ＳＣ５１を表示する。カスタマイズ製品表示画面ＳＣ５１は、カスタマイズ製品を表す画像と、当該カスタマイズ製品の納期を表すテキストと、当該カスタマイズ製品を注文するための「これで注文」ボタンと、「類似の既製品を探す」ボタンとを有する。カスタマイズ製品表示画面ＳＣ５１において「類似の既製品を探す」ボタンが選択されると、図１３（ｂ）に示す既製品表示画面ＳＣ５２に遷移する。
【０１６３】
図１３（ｂ）に示すように、既製品表示画面ＳＣ５２は、カスタマイズ製品に類似する既製品を表す商品名と、当該既製品の画像と、当該既製品を注文するための「通販で注文」ボタンとを有する。
【０１６４】
一方、カスタマイズ製品表示画面ＳＣ５１において「これで注文」ボタンが選択されると、図１３（ｃ）に示すカスタマイズ製品注文画面ＳＣ５３に遷移する。図１３（ｃ）に示すように、カスタマイズ製品注文画面ＳＣ５３は、カスタマイズ製品を表す画像と、当該カスタマイズ製品を何箱分注文するかを入力するためのテキストボックス又はプルダウンメニューと、当該カスタマイズ製品を何箱分注文することが推奨されるかを表すテキストとを有する。
【０１６５】
カスタマイズ製品又は既製品の注文後、一定期間が経過すると、図１４（ａ）に示すように、端末装置３００は、本システムの利用を促すための通知画面ＳＣ６１を表示する。かかる一定期間は、固定された期間であってもよいし、前回の注文数量に応じた可変の期間であってもよい。通知画面ＳＣ６１において「始める」ボタンが選択されると、図１４（ｂ）に示す情報入力画面ＳＣ６２に遷移する。
【０１６６】
図１４（ｂ）に示すように、情報入力画面ＳＣ６２は、推奨吸収性物品として既製品の情報を得るために、限定された情報を入力することを表す「ライト版」ボタンと、推奨吸収性物品としてカスタマイズ製品の情報を得るために、より多くの情報を入力することを表す「しっかり版」ボタンとを有する。
【０１６７】
（７．その他の実施形態）
上述した実施形態において、吸収性物品提示システムが情報を提示する吸収性物品が乳幼児用の使い捨ておむつである場合について主として説明した。しかしながら、乳幼児用の使い捨ておむつに限らず、大人用の使い捨ておむつ、ペット用の使い捨ておむつ、又は生理用ナプキン等に関する情報を提示するように構成してもよい。なお、吸収性物品提示システムが情報を提示する吸収性物品がペット用の使い捨ておむつである場合、着用者は人間ではなく動物（例えば犬や猫等）である。
【０１６８】
また、上述した実施形態において、ユーザ情報登録部１１０、吸収性物品判断部１２０、及び既製品判断部１３０がサーバ装置１００に設けられる一例について説明した。しかしながら、ユーザ情報登録部１１０、吸収性物品判断部１２０、及び既製品判断部１３０が端末装置３００に設けられてもよい。かかる場合、端末装置３００は、サーバ装置１００を介さずに記憶装置２００との通信を行うことにより推奨吸収性物品について判断してもよい。
【０１６９】
また、既製品（またはカスタマイズ製品）として提供する製品として、通常店頭にはない構造・サイズ・材質の吸収性物品を提示してもよい。例えば、通常店頭ではＳやＭといったサイズで販売されているとき、Ｓ（おなかが出ている方向け）、Ｓ（お尻が大きい方向け）、といった製品を既製品（またはカスタマイズ製品）として提示してもよい。なお、このような製品を半カスタマイズ製品として提供するようにしてもよい。
【０１７０】
また、上述した実施形態に係る吸収性物品提示システムにおける各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１７１】
以上、図面を参照して実施形態について詳しく説明したが、具体的な構成は上述のものに限られることはなく、要旨を逸脱しない範囲内において様々な設計変更等をすることが可能である。
【符号の説明】
【０１７２】
１０      ：通信ネットワーク
２１      ：ＣＰＵ
２２      ：ＲＡＭ
２３      ：ＲＯＭ
２４      ：補助記憶装置
２５      ：通信モジュール
２６      ：入力装置
２７      ：出力装置
１００    ：サーバ装置
１１０    ：ユーザ情報登録部
１２０    ：吸収性物品判断部
１２１    ：着用者情報判断部
１２２    ：トラブル情報判断部
１２３    ：使用状況情報判断部
１２４    ：環境意識情報判断部
１３０    ：既製品判断部
２００    ：記憶装置
２１０    ：ユーザ情報記憶部
２２０    ：着用者情報判断規則記憶部
２３０    ：トラブル情報判断規則記憶部
２４０    ：使用状況情報判断規則記憶部
２５０    ：環境意識情報判断規則記憶部
２６０    ：既製品情報記憶部
３００    ：端末装置
３３０    ：既製品情報記憶部
４００    ：製造ライン制御装置
５００    ：配送管理装置
【図１】
2020004299.tif 000010
【図２】
2020004299.tif 000011
【図３】
2020004299.tif 000012
【図４】
2020004299.tif 000013
【図５】
2020004299.tif 000014
【図６】
2020004299.tif 000015
【図７】
2020004299.tif 000016
【図８】
2020004299.tif 000017
【図９】
2020004299.tif 000018
【図１０】
2020004299.tif 000019
【図１１】
2020004299.tif 000020
【図１２】
2020004299.tif 000021
【図１３】
2020004299.tif 000022
【図１４】
2020004299.tif 000023